(57)【特許請求の範囲】
【請求項１】
プラントから収集するデータをもとにプラントの状態を画面表示したトレンドグラフをスクロールするトレンドグラフスクロール方式において、画面表示されたスクロールバーを操作することによって、トレンドグラフの表示期間をスクロールバーのスクロール期間内で切替えると共に、画面表示されたスクロール期間切替手段を操作して上記スクロールバーのスクロール期間を切替えることを特徴とするトレンドグラフスクロール方式。
【請求項２】
スクロール期間の切替えは、段階的に行われることを特徴とする請求項１記載のトレンドグラフスクロール方式。
【請求項３】
画面表示されるトレンドグラフは複数あり、それぞれに対応してスクロールバー及びスクロール期間切替手段が複数表示されることを特徴とする請求項１または請求項２記載のトレンドグラフスクロール方式。
【請求項４】
請求項１〜請求項３のいずれか一項記載のトレンドグラフスクロール方式によってトレンドグラフの表示を行なう表示手段、この表示手段のトレンドグラフ表示に用いるデータ収集を行なうデータ収集手段を備えたことを特徴とする監視装置。
【請求項５】
請求項１〜請求項３のいずれか一項記載のトレンドグラフスクロール方式によってトレンドグラフの表示を行なう表示手段、この表示手段のトレンドグラフ表示に用いるデータ収集を行なうデータ収集手段、このデータ収集手段の収集したデータに応じてプラントを制御する制御手段を備えたことを特徴とする監視制御装置。
【発明の詳細な説明】
【０００１】
【発明の属する技術分野】
この発明は、プラントの状態を監視する監視装置及び監視制御を行う監視制御装置並びに、それらの監視に用いられるプラントの状態を表示するトレンドグラフのスクロール方式に関するものである。
【０００２】
【従来の技術】
プラントの状態を監視する監視装置及び監視制御を行う監視制御装置のプラントの状態を表示するトレンドグラフをスクロールするときのスクロール方式は、プラントから収集した全てのデータ収集期間に関し、一本のスクロールバーで表示期間を操作する方式のものであった。
【０００３】
【発明が解決しようとする課題】
従来のトレンドグラフに関するスクロール方式は、トレンドデータの収集期間が長期に亘る場合は、一本のスクロールバーを用いての短期間のスクロール操作では、トレンドグラフのスクロールが困難であったので、複雑な操作を要せずにスクロール操作を実現することを必要としていた。
【０００４】
この発明は、上記のような課題を解決するためになされたものであり、全収集期間に亘るトレンドグラフのスクロール及び特に一定期間に着目したスクロールを効率よく行うことができるスクロール方式を得ることを第一の目的とする。
また、そのようなスクロール方式を用いてトレンド表示を行う監視装置を得ることを第二の目的にしている。
また、そのようなスクロール方式を用いてトレンド表示を行う監視制御装置を得ることを第三の目的にしている。
【０００５】
【課題を解決するための手段】
この発明に係わるトレンドグラフスクロール方式においては、画面表示されたスクロールバーを操作することによって、トレンドグラフの表示期間をスクロールバーのスクロール期間内で切替えると共に、画面表示されたスクロール期間切替手段を操作してスクロールバーのスクロール期間を切替えるようにしたものである。
また、スクロール期間の切替えは、段階的に行われるようにしたものである。
【０００６】
また、画面表示されるトレンドグラフは複数あり、それぞれに対応してスクロールバー及びスクロール期間切替手段が複数表示されるようにしたものである。
【０００８】
加えて、この発明に係わる監視装置においては、スクロール期間が切替えられることができるスクロールバーもしくはスクロール期間毎に設けられた複数のスクロールバーを用いるトレンドグラフスクロール方式によってトレンドグラフの表示を行なう表示手段と、この表示手段のトレンドグラフ表示に用いるデータ収集を行なうデータ収集手段を備えたものである。
また、この発明に係わる監視制御装置においては、スクロール期間が切替えられることができるスクロールバーもしくはスクロール期間毎に設けられた複数のスクロールバーを用いるトレンドグラフスクロール方式によってトレンドグラフの表示を行なう表示手段と、この表示手段のトレンドグラフ表示に用いるデータ収集を行なうデータ収集手段と、このデータ収集手段の収集したデータに応じてプラントを制御する制御手段を備えたものである。
【０００９】
【発明の実施の形態】
実施の形態１．
以下、この発明の実施の形態１を図に基づいて説明する。
図１は、この発明の実施の形態１によるトレンドグラフスクロール方式を示す画面レイアウト図である。
図１において、１は表示されたトレンドグラフ、２はトレンドグラフ１の表示期間を操作するよう画面表示されたスクロールバー、３はスクロールバー２が操作可能なスクロール期間を切替えるよう画面表示されたスクロール期間切替手段を構成するボタンである。
図２は、この発明の実施の形態１によるトレンドグラフスクロール方式を示すフローチャートである。
【００１０】
次に動作について説明する。
初期状態では、スクロールバー２の操作可能な期間は、収集された全ての期間（全体）としている。ここでボタン３の操作によって、スクロールバー２の操作可能な期間が変更される。なおスクロール期間は、現在表示されている期間を中心に、全体、１時間、１日、１週間、１ヶ月、１年、全体の順で変更される。但し、スクロール期間がデータ収集期間を超えている状態であれば、スクロール操作は無効とされる。
図１は、スクロール期間が１時間、グラフ１の表示期間が３０分に設定されている状態を示している。ここでスクロール切替えボタン３を押下することにより、スクロール期間が１日に変更され、現在表示されているトレンドグラフ１の中心部の時刻を中心に、前後１２時間ずつ（計１日分）スクロール操作が可能となるが、グラフの表示期間並びに表示点数などのグラフイメージは変更されない。また、スクロール操作によるグラフの表示期間の変更については、スクロールバー２が操作されるごとに、１サンプルずつ移動する。
【００１１】
次に、実施の形態１の動作について、図２のフローチャートを用いて説明する。
プラントから収集する各種プラントデータを取得し（ステップＳＴ１）、取得したデータをトレンドグラフに表示し（ステップＳＴ２）、オペレータによりスクロール関連の操作を受け付けていなければ（ステップＳＴ３）、次の収集データを取得する。スクロール関連の操作を受け付けていれば、スクロール期間の切替え操作が行われたかを判定し（ステップＳＴ４）、切替え操作が行われていればスクロール期間を切替えると共にスクロール期間よりスクロールバーの操作量を算出し（ステップＳＴ５）、そうでなければスクロール期間参照位置の値に基づきスクロール操作（ステップＳＴ６）を行う。スクロール期間切替えは、スクロール期間選択テーブルをサイクリックに参照し、スクロール期間参照位置に設定するが、画面に表示されているグラフデータの表示期間並びに表示点数は変更されない。また、収集データがスクロール期間よりも短い場合は、スクロール期間の変更は可能であるが、スクロールバーの操作は無効となる。
【００１２】
実施の形態２．
図３は、この発明の実施の形態２によるトレンドグラフスクロール方式を示す画面レイアウト図である。
図において、１〜３は図１におけるものと同一のものである。４はトレンドグラフ１とは別のデータに対応するトレンドグラフ、５はトレンドグラフ４の表示期間を操作するスクロールバー、６はスクロールバー５の操作可能な期間を切替えるボタンであり、４〜６は、１〜３とは別のデータに対応している。
図４は、この発明の実施の形態２によるトレンドグラフスクロール方式を示すフローチャートである。
実施の形態１では、トレンドグラフ１画面につき一本のスクロールバーを操作する場合を示したが、図３で示すように複数のデータ（または複数データをまとめたグループ）を１画面で複数のトレンドグラフに表示する場合は、これに対応した複数のスクロールバー２、５を設置することで、データ毎にスクロールのスクロール期間を対応付けることが可能である。
【００１３】
次に、実施の形態２の動作について、図４のフローチャートを用いて説明する。
収集データの取得並びにグラフを表示する手順までは図２と同様である（ステップＳＴ１１、ＳＴ１２）。次に図３のトレンドグラフ１に対応するスクロール関連の操作が行われたかを判断し（ステップＳＴ１３）、操作が行われていれば図２で示したスクロール関連の操作を行う（ステップＳＴ１８〜ＳＴ２０）。
次に図３のグラフ４に対応するスクロール関連の操作が行われたかを判断し（ステップＳＴ１４）、操作が行われていれば、図２で示したスクロール関連の操作を行う（ステップＳＴ１５〜ＳＴ１７）。また、スクロール期間参照並びにスクロール期間選択テーブルは、グラフ毎に分けられており、異なるグラフで共用されることはない。
【００１４】
実施の形態３．
図５は、この発明の実施の形態３によるトレンドグラフスクロール方式を示す画面レイアウト図である。
図において、１は表示されたトレンドグラフ、７はデータ収集期間全体をスクロール期間としたスクロールバー、８は年をスクロール期間としたスクロールバー、９は月をスクロール期間としたスクロールバー、１０は週をスクロール期間としたスクロールバー、１１は日をスクロール期間としたスクロールバー、１２は時間をスクロール期間としたスクロールバーである。
図６は、この発明の実施の形態３によるトレンドグラフスクロール方式を示すフローチャートである。
実施の形態１では、スクロールバー２のスクロール期間を切替えるというものであったが、図５に示すように、スクロール期間毎に対応するスクロールバー７〜１２を設けることにより、ボタン操作によるスクロール期間切替えを不要とすることが可能である。また、７〜１２の各スクロールバーは、表示データの収集期間に応じて必要なスクロール期間のみ表示するカスタマイズが可能である。
【００１５】
次に、実施の形態３の動作について、図６のフローチャートを用いて説明する。
収集データの取得並びにトレンドグラフを表示する手順までは図２と同様である（ステップＳＴ２１、ＳＴ２２）。次に各種スクロールバーの操作が行われたかを判断し（ステップＳＴ２３〜ＳＴ２８）、スクロール操作が行われていればスクロール操作を行う（ステップＳＴ２９）。
【００１６】
実施の形態４．
図７は、この発明の実施の形態４によるトレンドグラフスクロール方式を示す画面レイアウト図である。
実施の形態３では、１画面上に複数のスクロールバーを設置する方式であるが、図７に示すように別のダイアログを表示し、そこに各スクロール期間に対応したスクロールバーを設置することで、描画領域が狭い場合でも実施の形態３と同様な機能を実現することが可能である。
なお、実施の形態１〜実施の形態４のトレンドグラフスクロール方式を用いた表示手段と、この表示手段に用いるプラントデータを収集するデータ収集手段とを備えた監視装置及び、収集したデータに応じたプラントの制御を行う制御手段と備えた監視制御装置を構成すれば、トレンドグラフを自在に表示させることができ、効率のよい監視及び監視制御を行うことができる。
【００１７】
【発明の効果】
この発明は、以上説明したように構成されているので、以下に示すような効果を奏する。
画面表示されたスクロールバーを操作することによって、トレンドグラフの表示期間をスクロールバーのスクロール期間内で切替えると共に、画面表示されたスクロール期間切替手段を操作してスクロールバーのスクロール期間を切替えるようにしたので、スクロールバーの操作性を向上することができる。
また、スクロール期間の切替えは、段階的に行われるようにしたので、短期間、長期間のスクロールを切替えによって行うことができる。
【００１８】
また、画面表示されるトレンドグラフは複数あり、それぞれに対応してスクロールバー及びスクロール期間切替手段が複数表示されるようにしたので、それぞれのトレンドグラフを効率よく操作することができる。
【００２０】
加えて、スクロール期間が切替えられることができるスクロールバーもしくはスクロール期間毎に設けられた複数のスクロールバーを用いるトレンドグラフスクロール方式によってトレンドグラフの表示を行なう表示手段と、この表示手段のトレンドグラフ表示に用いるデータ収集を行なうデータ収集手段を備えたので、トレンドグラフのスクロールを効率よく行うことができる監視装置とすることができる。
また、スクロール期間が切替えられることができるスクロールバーもしくはスクロール期間毎に設けられた複数のスクロールバーを用いるトレンドグラフスクロール方式によってトレンドグラフの表示を行なう表示手段と、この表示手段のトレンドグラフ表示に用いるデータ収集を行なうデータ収集手段と、このデータ収集手段の収集したデータに応じてプラントを制御する制御手段を備えたので、トレンドグラフのスクロールを効率よく行うことができる監視装置とすることができる。
【図面の簡単な説明】
【図１】  この発明の実施の形態１によるトレンドグラフスクロール方式を示す画面レイアウト図である。
【図２】  この発明の実施の形態１によるトレンドグラフスクロール方式を示すフローチャートである。
【図３】  この発明の実施の形態２によるトレンドグラフスクロール方式を示す画面レイアウト図である。
【図４】  この発明の実施の形態２によるトレンドグラフスクロール方式を示すフローチャートである。
【図５】  この発明の実施の形態３によるトレンドグラフスクロール方式を示す画面レイアウト図である。
【図６】  この発明の実施の形態３によるトレンドグラフスクロール方式を示すフローチャートである。
【図７】  この発明の実施の形態４によるトレンドグラフスクロール方式を示す画面レイアウト図である。
【符号の説明】
１，４  トレンドグラフ、
２，５，７，８，９，１０，１１，１２  スクロールバー、
３，６  ボタン。
【図１】
0003688924.tif 000002
【図２】
0003688924.tif 000003
【図３】
0003688924.tif 000004
【図４】
0003688924.tif 000005
【図５】
0003688924.tif 000006
【図６】
0003688924.tif 000007
【図７】
0003688924.tif 000008